(57)【要約】  通信装置は、動作モード変更の入力操作を受付る操作部と、現在位置を検出する位置検出部と、他の通信装置から当該他の通信装置の位置情報を取得する通信部と、当該他の通信装置と自装置の近接情報を生成する生成部と、近接情報を保持するデータ保持部と、動作モード変更の入力操作を受付たとき、変更後の動作モードの変更に合わせて自装置と近接する他の通信装置の動作モードを変更するよう促す制御部とを備える。
2013001814.tif 000002
【特許請求の範囲】
【請求項１】
表示部と、
自装置の動作モードを変更する入力操作を受け付ける操作部と、
自装置の位置を検出する位置検出部と、
自装置と関連付けられた他の通信装置から外部ネットワークを介して当該他の通信装置の位置情報を取得する通信部と、
前記位置検出部の検出結果及び前記他の通信装置の位置情報に基づき、当該他の通信装置が自装置と近接しているか否かを示す近接情報を生成する生成部と、
前記近接情報を保持するデータ保持部と、
前記自装置の動作モードを変更する入力操作を前記操作部で受け付けた場合に、自装置と近接する他の通信装置について、自装置の変更後の動作モードの変更に合わせて当該他の通信装置の動作モードを変更することを促す表示を前記表示部に表示する制御を行う制御部と、
を備える通信装置。
【請求項２】
請求項１に記載の通信装置であって、
前記制御部は、
前記表示部への表示後、前記操作部で所定の操作を受け付けた場合には、
変更後の自装置の動作モードと同じ動作モードに変更するよう前記他の通信装置に前記通信部を介して通知する、
通信装置。
【請求項３】
請求項２に記載の通信装置であって、
前記他の通信装置では、前記通知を受けると、前記変更後の自装置の動作モードと同じ動作モードに変更する、
通信装置。
【請求項４】
請求項１に記載の通信装置であって、
前記生成部は、前記近接情報に加えて、前記他の通信装置が前記外部ネットワークを介して自装置接続されているか否かを示す接続情報を生成し、
前記データ保持部は、前記近接情報に加えて当該接続情報を保持し、
前記制御部は、前記自装置の動作モードを変更する入力操作を前記操作部で受け付けた場合に、自装置と近接し、かつ自装置と接続されている他の通信装置について、自装置の変更後の動作モードの変更に合わせて当該他の通信装置の動作モードを変更することを促す表示を前記表示部に表示する制御を行う、
通信装置。
【請求項５】
サーバ装置と、当該サーバ装置と外部ネットワークを介して接続する複数の通信装置とを含む通信システムであって、
前記サーバ装置は、
前記外部ネットワークを介して、互いに関連付けられた複数の通信装置から位置情報を取得する取得部と、
前記取得した複数の通信装置の位置情報に基づき、当該複数の通信装置同士が近接しているか否かを示す近接情報を生成する生成部と、
前記近接情報が更新されると、更新された近接情報が示す複数の通信装置に更新後の近接情報を送信する通信部と、
を備え、
前記複数の通信装置のそれぞれは、
表示部と、
自装置の動作モードを変更する入力操作を受け付ける操作部と、
自装置の位置を検出する位置検出部と、
前記サーバ装置から前記外部ネットワークを介して前記近接情報を取得する通信部と、
前記自装置の動作モードを変更する入力操作を前記操作部で受け付けた場合に、自装置と近接する他の通信装置について、自装置の変更後の動作モードの変更に合わせて当該他の通信装置の動作モードを変更することを促す表示を前記表示部に表示する制御を行う制御部と、
を備える、
通信システム。
【請求項６】
自装置の動作モードを変更する入力操作を操作部で受け付けるステップと、
自装置の位置を検出部で検出するステップと、
自装置と関連付けられた他の通信装置から外部ネットワークを介して当該他の通信装置の位置情報を取得部で取得するステップと、
前記検出された自装置の位置と前記他の通信装置の位置情報とに基づき、当該他の通信装置が自装置と近接しているか否かを示す近接情報を生成部で生成するステップと、
前記近接情報をデータ保持部で保持するステップと、
前記自装置の動作モードを変更する入力操作を受け付けた場合に、自装置と近接する他の通信装置について、自装置の変更後の動作モードの変更に合わせて当該他の通信装置の動作モードを変更することを促す表示を行うよう表示部を制御部により制御するステップと、を備える通信方法。
【請求項７】
サーバ装置と、当該サーバ装置と外部ネットワークを介して接続する複数の通信装置とを含む通信システムであって、
前記サーバ装置は、
前記外部ネットワークを介して、予め登録された複数の通信装置から位置情報を取得する取得部と、
前記取得した複数の通信装置の位置情報に基づき、当該複数の通信装置同士が近接しているか否かを示す近接情報を生成する生成部と、
前記生成部が生成した近接情報及び前記複数の通信装置の各々に設定された動作モード変更設定を管理するデータ管理部と、
前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、
を備え、
前記複数の通信装置のそれぞれは、
表示部と、
自装置の動作モードを変更する入力操作を受け付ける操作部と、
自装置の位置を検出する位置検出部と、
前記外部ネットワークを介して、自装置の動作モードが変更されると前記動作モード変更通知を前記サーバ装置に送信し、かつ、前記サーバ装置から送信された前記動作モード変更指示を受信する通信部と、
前記通信部が前記動作モード変更指示を受信した場合に、自装置の動作モード変更設定に応じて、前記動作モード変更指示に基づく動作モードの変更を行う又は動作モードの変更を促す画面を前記表示部に表示する制御を行う制御部と、
を備える、
通信システム。
【請求項８】
サーバ装置と、当該サーバ装置と外部ネットワークを介して接続する複数の通信装置とを含む通信システムであって、
前記サーバ装置は、
前記外部ネットワークを介して、予め登録された複数の通信装置から位置情報を取得する取得部と、
前記取得部が取得した位置情報を通信装置毎に時系列で保持するメモリ部と、
前記外部ネットワークを介して、前記複数の通信装置のいずれかが送信した動作モード変更通知を受信すると、前記メモリ部が保持する位置情報に基づき、前記動作モード変更通知を送信した通信装置と他の通信装置の各々とが近接しているか否かを示す近接情報を生成する生成部と、
前記生成部が生成した近接情報及び前記複数の通信装置の各々に設定された動作モード変更設定を管理するデータ管理部と、
前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、
を備え、
前記複数の通信装置のそれぞれは、
表示部と、
自装置の動作モードを変更する入力操作を受け付ける操作部と、
自装置の位置を検出する位置検出部と、
前記外部ネットワークを介して、自装置の動作モードが変更されると前記動作モード変更通知を前記サーバ装置に送信し、かつ、前記サーバ装置から送信された前記動作モード変更指示を受信する通信部と、
前記通信部が前記動作モード変更指示を受信した場合に、自装置の動作モード変更設定に応じて、前記動作モード変更指示に基づく動作モードの変更を行う又は動作モードの変更を促す画面を前記表示部に表示する制御を行う制御部と、
を備える、
通信システム。
【請求項９】
請求項７又は８に記載の通信システムであって、
前記サーバ装置は、前記動作モード変更指示を近接する通信装置に送信した際、所定の時間が経過するまで、前記近接する通信装置から送信された動作モード変更設定を無視する、
通信システム。
【請求項１０】
外部ネットワークを介して複数の通信装置と接続するサーバ装置であって、
前記外部ネットワークを介して、予め登録された複数の通信装置から位置情報を取得する取得部と、
前記取得した複数の通信装置の位置情報に基づき、当該複数の通信装置同士が近接しているか否かを示す近接情報を生成する生成部と、
前記生成部が生成した近接情報及び前記複数の通信装置の各々に設定された動作モード変更設定を管理するデータ管理部と、
前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、
を備えるサーバ装置。
【請求項１１】
外部ネットワークを介して複数の通信装置と接続するサーバ装置であって、
前記外部ネットワークを介して、予め登録された複数の通信装置から位置情報を取得する取得部と、
前記取得部が取得した位置情報を通信装置毎に時系列で保持するメモリ部と、
前記外部ネットワークを介して、前記複数の通信装置のいずれかが送信した動作モード変更通知を受信すると、前記メモリ部が保持する位置情報に基づき、前記動作モード変更通知を送信した通信装置と他の通信装置の各々とが近接しているか否かを示す近接情報を生成する生成部と、
前記生成部が生成した近接情報及び前記複数の通信装置の各々に設定された動作モード変更設定を管理するデータ管理部と、
前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、
を備えるサーバ装置。
【請求項１２】
請求項１０又は１１に記載のサーバ装置であって、
前記通信部が前記動作モード変更指示を近接する通信装置に送信した際、所定の時間が経過するまで、前記近接する通信装置から送信された動作モード変更設定を無視する、
サーバ装置。
【発明の詳細な説明】
【技術分野】
【０００１】
本発明は、通信装置の動作モード変更を他の通信装置へ通知する通信装置、通信システム、サーバ装置及び通信方法に関する。
【背景技術】
【０００２】
通信に利用する電波が周囲に悪影響を及ぼすエリア（例えば、病院や航空機内）では、携帯端末からの電波が発せられないように、動作モードを電源オフモード又は電波オフモードに設定する必要がある。電源オフモードとは、携帯端末の電源をオフにする動作モードである。電波オフモードとは、携帯端末から電波が発信されない動作モードである。【０００３】
特に、上述のようなエリアでユーザが複数の携帯端末を所持している場合には、電波を発する全ての携帯端末に電源オフ設定又は電波オフモードの設定が必要となる。しかしながら、ユーザが動作モードの設定を忘れてしまう場合もある。このような場合を想定し、電波の使用禁止を自動的に複数の携帯端末同士で連動させる技術が開発されている(特許文献１参照)。
【先行技術文献】
【特許文献】
【０００４】
【特許文献１】日本国特開２００９−１６４７８３号公報
【発明の概要】
【発明が解決しようとする課題】
【０００５】
通信装置の一例である携帯端末は、対基地局用の無線通信以外に、複数の無線通信手段を有している場合もある。しかしながら、ユーザが所持する複数の携帯端末のそれぞれが、対基地局用の無線通信以外の無線通信手段を有していても、その無線通信手段が使用できない携帯端末が１つでもあれば、特許文献１に開示されている技術を適用できない。【０００６】
本発明の目的は、自装置と関連付けられた一又は複数の他の通信装置が近くに存在する場合に、通信装置の動作モード変更に合わせて動作モードを変更する必要がある他の通信装置の存在をユーザに通知することができる通信装置、通信システム、サーバ装置及び通信方法を提供することである。
【課題を解決するための手段】
【０００７】
本発明は、表示部と、自装置の動作モードを変更する入力操作を受け付ける操作部と、自装置の位置を検出する位置検出部と、自装置と関連付けられた他の通信装置から外部ネットワークを介して当該他の通信装置の位置情報を取得する通信部と、前記位置検出部の検出結果及び前記他の通信装置の位置情報に基づき、当該他の通信装置が自装置と近接しているか否かを示す近接情報を生成する生成部と、前記近接情報を保持するデータ保持部と、前記自装置の動作モードを変更する入力操作を前記操作部で受け付けた場合に、自装置と近接する他の通信装置について、自装置の変更後の動作モードの変更に合わせて当該他の通信装置の動作モードを変更することを促す表示を前記表示部に表示する制御を行う制御部と、を備える通信装置を提供する。【０００８】
上記通信装置では、前記制御部は、前記表示部への表示後、前記操作部で所定の操作を受け付けた場合には、変更後の自装置の動作モードと同じ動作モードに変更するよう前記他の通信装置に前記通信部を介して通知する。【０００９】
上記通信装置において、前記他の通信装置では、前記通知を受けると、前記変更後の自装置の動作モードと同じ動作モードに変更する。【００１０】
上記通信装置では、前記生成部は、前記近接情報に加えて、前記他の通信装置が前記外部ネットワークを介して自装置接続されているか否かを示す接続情報を生成し、前記データ保持部は、前記近接情報に加えて当該接続情報を保持し、前記制御部は、前記自装置の動作モードを変更する入力操作を前記操作部で受け付けた場合に、自装置と近接し、かつ自装置と接続されている他の通信装置について、自装置の変更後の動作モードの変更に合わせて当該他の通信装置の動作モードを変更することを促す表示を前記表示部に表示する制御を行う。【００１１】
また、本発明の通信システムは、サーバ装置と、当該サーバ装置と外部ネットワークを介して接続する複数の通信装置とを含む通信システムであって、前記サーバ装置は、前記外部ネットワークを介して、互いに関連付けられた複数の通信装置から位置情報を取得する取得部と、前記取得した複数の通信装置の位置情報に基づき、当該複数の通信装置同士が近接しているか否かを示す近接情報を生成する生成部と、前記近接情報が更新されると、更新された近接情報が示す複数の通信装置に更新後の近接情報を送信する通信部と、を備え、前記複数の通信装置のそれぞれは、表示部と、自装置の動作モードを変更する入力操作を受け付ける操作部と、自装置の位置を検出する位置検出部と、前記サーバ装置から前記外部ネットワークを介して前記近接情報を取得する通信部と、前記自装置の動作モードを変更する入力操作を前記操作部で受け付けた場合に、自装置と近接する他の通信装置について、自装置の変更後の動作モードの変更に合わせて当該他の通信装置の動作モードを変更することを促す表示を前記表示部に表示する制御を行う制御部と、を備える。【００１２】
また、本発明の通信方法は、自装置の動作モードを変更する入力操作を操作部で受け付けるステップと、自装置の位置を検出部で検出するステップと、自装置と関連付けられた他の通信装置から外部ネットワークを介して当該他の通信装置の位置情報を取得部で取得するステップと、前記検出された自装置の位置と前記他の通信装置の位置情報とに基づき、当該他の通信装置が自装置と近接しているか否かを示す近接情報を生成部で生成するステップと、前記近接情報をデータ保持部で保持するステップと、前記自装置の動作モードを変更する入力操作を受け付けた場合に、自装置と近接する他の通信装置について、自装置の変更後の動作モードの変更に合わせて当該他の通信装置の動作モードを変更することを促す表示を行うよう表示部を制御部により制御するステップと、を備える。【００１３】
また、本発明の通信システムは、サーバ装置と、当該サーバ装置と外部ネットワークを介して接続する複数の通信装置とを含む通信システムであって、前記サーバ装置は、前記外部ネットワークを介して、予め登録された複数の通信装置から位置情報を取得する取得部と、前記取得した複数の通信装置の位置情報に基づき、当該複数の通信装置同士が近接しているか否かを示す近接情報を生成する生成部と、前記生成部が生成した近接情報及び前記複数の通信装置の各々に設定された動作モード変更設定を管理するデータ管理部と、前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、を備え、前記複数の通信装置のそれぞれは、表示部と、自装置の動作モードを変更する入力操作を受け付ける操作部と、自装置の位置を検出する位置検出部と、前記外部ネットワークを介して、自装置の動作モードが変更されると前記動作モード変更通知を前記サーバ装置に送信し、かつ、前記サーバ装置から送信された前記動作モード変更指示を受信する通信部と、前記通信部が前記動作モード変更指示を受信した場合に、自装置の動作モード変更設定に応じて、前記動作モード変更指示に基づく動作モードの変更を行う又は動作モードの変更を促す画面を前記表示部に表示する制御を行う制御部と、を備える。【００１４】
また、本発明の通信システムは、サーバ装置と、当該サーバ装置と外部ネットワークを介して接続する複数の通信装置とを含む通信システムであって、前記サーバ装置は、前記外部ネットワークを介して、予め登録された複数の通信装置から位置情報を取得する取得部と、前記取得部が取得した位置情報を通信装置毎に時系列で保持するメモリ部と、前記外部ネットワークを介して、前記複数の通信装置のいずれかが送信した動作モード変更通知を受信すると、前記メモリ部が保持する位置情報に基づき、前記動作モード変更通知を送信した通信装置と他の通信装置の各々とが近接しているか否かを示す近接情報を生成する生成部と、前記生成部が生成した近接情報及び前記複数の通信装置の各々に設定された動作モード変更設定を管理するデータ管理部と、前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、を備え、前記複数の通信装置のそれぞれは、表示部と、自装置の動作モードを変更する入力操作を受け付ける操作部と、自装置の位置を検出する位置検出部と、前記外部ネットワークを介して、自装置の動作モードが変更されると前記動作モード変更通知を前記サーバ装置に送信し、かつ、前記サーバ装置から送信された前記動作モード変更指示を受信する通信部と、前記通信部が前記動作モード変更指示を受信した場合に、自装置の動作モード変更設定に応じて、前記動作モード変更指示に基づく動作モードの変更を行う又は動作モードの変更を促す画面を前記表示部に表示する制御を行う制御部と、を備える。【００１５】
また、本発明の通信システムでは、前記サーバ装置は、前記動作モード変更指示を近接する通信装置に送信した際、所定の時間が経過するまで、前記近接する通信装置から送信された動作モード変更設定を無視する。【００１６】
また、本発明のサーバ装置は、外部ネットワークを介して複数の通信装置と接続するサーバ装置であって、前記外部ネットワークを介して、予め登録された複数の通信装置から位置情報を取得する取得部と、前記取得した複数の通信装置の位置情報に基づき、当該複数の通信装置同士が近接しているか否かを示す近接情報を生成する生成部と、前記生成部が生成した近接情報及び前記複数の通信装置の各々に設定された動作モード変更設定を管理するデータ管理部と、前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、を備える。【００１７】
また、本発明のサーバ装置は、外部ネットワークを介して複数の通信装置と接続するサーバ装置であって、前記外部ネットワークを介して、予め登録された複数の通信装置から位置情報を取得する取得部と、前記取得部が取得した位置情報を通信装置毎に時系列で保持するメモリ部と、前記外部ネットワークを介して、前記複数の通信装置のいずれかが送信した動作モード変更通知を受信すると、前記メモリ部が保持する位置情報に基づき、前記動作モード変更通知を送信した通信装置と他の通信装置の各々とが近接しているか否かを示す近接情報を生成する生成部と、前記生成部が生成した近接情報及び前記複数の通信装置の各々に設定された動作モード変更設定を管理するデータ管理部と、前記外部ネットワークを介して、前記複数の通信装置のいずれかが送信した動作モード変更通知を受信し、かつ、前記動作モード変更通知を送信した通信装置に近接する通信装置に動作モード変更指示を送信する通信部と、を備える。【００１８】
また、本発明のサーバ装置は、前記通信部が前記動作モード変更指示を近接する通信装置に送信した際、所定の時間が経過するまで、前記近接する通信装置から送信された動作モード変更設定を無視する。
【発明の効果】
【００１９】
本発明に係る通信装置、通信システム、サーバ装置及び通信方法によれば、自装置と関連付けられた一又は複数の他の通信装置が近くに存在する場合に、通信装置の動作モード変更に合わせて動作モードを変更する必要がある他の通信装置の存在をユーザに通知することができる。
【図面の簡単な説明】
【００２０】
【図１】本発明の実施の形態１に係る通信システムの概略構成図
【図２】端末１の構成を示すブロック図
【図３】データ管理部１３０で管理するデータの一例（１）
【図４】近接情報を更新するためのシーケンス図の一例（１）
【図５】動作モード変更操作時のフローチャートの一例（１）
【図６】表示部１７０の表示例（１）
【図７】動作モード変更操作時のフローチャートの一例（２）
【図８】表示部１７０の表示例（２）
【図９】近接情報を更新するためのシーケンス図の一例（２）
【図１０】近接情報を更新するためのシーケンス図の一例（３）
【図１１】データ管理部１３０の管理データの一例（２）
【図１２】データ管理部１３０の管理データの一例（３）
【図１３】動作モード変更操作時のフローチャートの一例（３）
【図１４】本発明の実施の形態２に係る通信システムの概略構成図
【図１５】サーバ装置５で管理するデータの一例
【図１６】近接情報を更新するためのシーケンス図の一例（４）
【図１７】サーバ装置５の構成を示すブロック図
【図１８】端末６の構成を示すブロック図
【図１９】本発明の実施の形態３に係る通信システムの概略構成図
【図２０】サーバ装置１５が管理する端末のペアと近接情報に係るデータの一例
【図２１】サーバ装置１５が管理する端末毎の動作モード変更設定に係るデータの一例
【図２２】実施の形態３の通信システムの動作を示すシーケンス図の一例
【図２３】動作モード変更設定が「手動」に設定された端末が動作モード変更指示を受け取った際にステップＳ２２１４で表示する画面の一例
【図２４】動作モード変更設定が「自動」に設定された端末が動作モード変更指示を受け取った際にステップＳ２２１６で表示する画面の一例
【図２５】サーバ装置１５の構成を示すブロック図
【図２６】端末１６の構成を示すブロック図
【図２７】本発明の実施の形態４に係る通信システムの概略構成図
【図２８】サーバ装置２５が管理する位置情報に係るデータの一例
【図２９】サーバ装置２５が管理する端末毎の動作モード変更設定に係るデータの一例
【図３０】実施の形態４の通信システムの動作を示すシーケンス図の一例
【図３１】サーバ装置２５が生成する近接情報の一例
【図３２】サーバ装置２５の構成を示すブロック図
【発明を実施するための形態】
【００２１】
以下に、本発明の実施の形態について、図面を参照しながら説明する。
【００２２】
（実施の形態１）
図１は本発明の実施の形態１に係る通信システムの概略構成図である。図１に示すように、本発明の通信装置の一例である携帯端末１、２、３は独立に外部ネットワーク４に接続する。なお、携帯端末１、２、３は、外部ネットワーク４を介して互いにデータ通信が可能である。以下、携帯端末１、２、３を単に端末１、２、３と呼ぶ。
【００２３】
図２は端末１の構成を示すブロック図である。なお、図２では、端末１を例にとって説明するが、他の端末２、３（図１参照）も同様の構成を有する。図２に示す端末１は、制御部１００と、位置検出部１１０と、データ通信部１２０と、データ管理部１３０と、操作部１４０と、メモリ部１５０と、電源部１６０と、表示部１７０と、ＲＦ部１８０と、を備える。
【００２４】
なお、図２では、アンテナやマイク、電池といった一般的な携帯端末の機能を有する構成は省略している。
【００２５】
なお、図２に示す端末１では、データ管理部１３０を機能ブロックとして示しているが、アプリケーションでデータを管理してもよく、データの管理をデータ管理部１３０に限定するものではない。
【００２６】
制御部１００は、中央演算処理装置（ＣＰＵ）、タイマー、メモリ等で構成される。制御部１００は、位置検出部１１０と、データ通信部１２０と、データ管理部１３０と、操作部１４０と、メモリ部１５０と、電源部１６０と、表示部１７０と、ＲＦ部１８０など、端末１の全体を制御する。
【００２７】
制御部１００は、メモリ部１５０に保持された同一グループの端末２、３の現在の位置情報を参照し、データ管理部１３０に保持された各端末の近接情報を更新する。具体的には、制御部１００は、グループ設定されている他の端末２、３の現在の位置情報と、自端末（端末１）の現在の位置情報との差分から、グループ設定されている他の端末２、３が自端末（端末１）に近接しているか否かを判定し、データ管理部１３０に管理されている他の端末２、３の近接情報を更新する。
【００２８】
また、制御部１００は、端末２、３の過去の位置情報が保持されている場合には、メモリ部１５０に保持された同一グループの端末２、３の現在の位置情報だけでなく、これら現在の位置情報と過去の位置情報との差分から端末２、３の近接情報を更新しても良い。これは、端末２、３の位置情報の更新が頻繁に行われない場合（例えば、図９、１０参照）に特に有効な更新方法である。
【００２９】
制御部１００は、操作部１４０の入力操作又は同一グループの他の端末から通知される動作モード変更指示に基づき、自端末（端末１）の動作モードを変更する。本実施の形態では、電波を外部に出力しない電波オフモード、電源をＯＦＦにする電源オフモード、及び電波を外部に出力して通常の動作をする通常モードの３つの動作モードを想定しているが、動作モードはこれに限らない。
【００３０】
通常モード又は電波オフモードから電源オフモードに変更する場合には、制御部１００は、電源部１６０の電源をオフにする制御を行う。通常モード又は電源オフモードから電波オフモードに変更する場合には、制御部１００は、電源部１６０の電源をオンの状態のまま、外部に電波が出力されないようにＲＦ部１８０を制御する。
【００３１】
これらの動作モード変更の際、制御部１００は、データ管理部１３０に管理されている端末２、３の近接情報を参照する。そして、制御部１００は、グループ設定された端末２、３のうち、自端末（端末１）に近接している端末がある場合には、近接する端末の動作モードを自端末（端末１）の動作モードに合わせて変更することを促す表示を表示部１７０に表示する。なお、グループ設定された端末２、３のうち、自端末（端末１）に近接している端末がない場合には、表示部１７０には何も表示しない。
【００３２】
また、制御部１００は、他の端末２、３の端末情報及び近接情報と共に、端末２、３の接続情報がデータ管理部１３０に管理されている場合には、グループ設定された端末２、３のうち、自端末（端末１）に近接し、かつ接続されている端末に自端末（端末１）の位置情報をデータ通信部１２０を介して送信する（図１２、１３参照）。自端末（端末１）が他の端末（端末２、３）と外部ネットワーク４を介して接続されていない状態に遷移する場合には、制御部１００は、グループ設定されている端末２、３にデータ通信部１２０を介して接続断絶の通知を行う。そして、この接続断絶状態から接続状態に復帰する場合には、制御部１００は、グループ設定されている端末２、３にデータ通信部１２０を介して接続復帰を行う。これにより一度接続断の状態になった端末との位置情報通知も再開される。
【００３３】
また、制御部１００は、近接している他の端末の設定を変更するか否かをユーザに問い合わせるためのメッセージを表示部１７０に表示するよう表示部１７０を制御する。そして、近接している他の端末の動作モードの設定を変更する場合には、制御部１００は、データ通信部１２０を介して、動作モードの設定を変更する他の端末に動作モードの設定変更の指示を通知する。
【００３４】
データ通信部１２０は、位置検出部１１０から出力された自端末（端末１）の現在の位置情報を、同一グループの端末２、３へ外部ネットワーク４を介して定期的に送信する（図４参照）。また、データ通信部１２０は、同一グループの端末２、３から現在の位置情報を受信し、これら端末２、３の現在の位置情報を位置検出部１１０へ出力する。なお、端末の位置情報は制御部１００の内蔵するタイマーにより定期的に交換されても良いし、不定期でも良い。
【００３５】
操作部１４０は、ユーザの入力操作を受け付け、この入力操作に対応する信号を制御部１００へ出力する。操作部１４０は、例えば、電源ボタンなどの入力キーやタッチパネルなどの入力インターフェースで構成される。
【００３６】
表示部１７０は、制御部１００の制御に基づき、ユーザの入力操作に応じた出力を表示する。表示部１７０は、タッチパネル画面、液晶画面などの出力インターフェースで構成される。なお、表示部１７０は、操作部１４０と一体となったタッチパネルでも良い。
【００３７】
＜近接情報の管理＞
データ管理部１３０には、あらかじめグループ設定されている複数の端末の一覧（以下、端末情報という）と、これら端末が自端末（端末１）の近くにあるか否かを判別するための近接情報とが保持されている。なお、本実施の形態では、一又は複数の端末の端末をあらかじめグループ設定しているが、手動での登録、近距離無線やメール、ＰＣや記憶デバイス等による登録などでグループ設定をすることができる。
【００３８】
［データ管理部１３０の管理データの一例（１）］
図３にデータ管理部１３０で管理するデータの一例（１）を示す。端末１、２、３はあらかじめグループ設定されている。図３に示すように、端末１に近接する端末２の近接情報は「○」であり、端末１に近接しない端末３の近接情報は「×」である。つまり、図３に示す近接情報が「○」である場合には、その端末情報が示す通信装置は端末１に近接していることを示す。図３に示す近接情報が「×」である場合には、その端末情報が示す通信装置は端末１に近接していないことを示す。なお、端末２、３の近接情報は、最新のものだけでなく、過去の近接情報を保持しておくこともできる（図１１参照）。なお、端末情報及び近接情報だけでなく、接続情報を保持しておくこともできる（図１３参照）。
【００３９】
＜位置情報の交換方法１＞
位置検出部１１０は、制御部１００の指示に基づき、メモリ部１５０で保持されている同一グループの端末２、３の位置情報をデータ通信部１２０を介して交換し、同一グループの端末２、３の現在の位置情報をメモリ部１５０に出力する。
【００４０】
また、位置検出部１１０は、制御部１００の指示に基づき、自端末（端末１）の現在の位置情報を取得する。そして、メモリ部１５０には、同一グループの端末２、３の現在の位置情報及び自端末（端末１）の現在の位置情報が保持される。なお、メモリ部１５０には、最新の位置情報だけでなく、過去の位置情報も保持することができる。
【００４１】
なお、ＧＰＳ機能により取得する位置情報、無線ＬＡＮ、携帯電話やＰＨＳの基地局の位置情報より取得する位置情報等を用いてもよく、どのような方法で位置情報を取得するかは限定しない。
【００４２】
図４に近接情報を更新するためのシーケンス図の一例（１）を示す。グループ設定された端末１、２、３は図４に示すステップＳ４０１〜Ｓ４１８の動作を定期的に実施する。
【００４３】
端末１は、自端末（端末１）の現在の位置情報を取得し（ステップＳ４０１）、取得した自端末（端末１）の現在の位置情報をグループ設定されている端末２、３に通知する（ステップＳ４０２−１、Ｓ４０２−２）。端末２は、端末１の現在の位置情報を通知されると、自端末（端末２）の位置情報を取得し（ステップＳ４０３）、自端末で保持する端末１の近接情報を更新する（ステップＳ４０５）。同様に、端末３は、端末１の現在の位置情報を通知されると、自端末（端末３）の位置情報を取得し（ステップＳ４０４）、自端末で保持する端末１の近接情報を更新する（ステップＳ４０６）。
【００４４】
端末２は、自端末（端末２）の現在の位置情報を取得し（ステップＳ４０７）、取得した自端末（端末２）の現在の位置情報をグループ設定されている端末１、３に通知する（ステップＳ４０８−１、Ｓ４０８−２）。端末１は、端末２の現在の位置情報を通知されると、自端末（端末１）の位置情報を取得し（ステップＳ４０９）、自端末で保持する端末２の近接情報を更新する（ステップＳ４１１）。同様に、端末３は、端末２の現在の位置情報を通知されると、自端末（端末３）の位置情報を取得し（ステップＳ４１０）、自端末で保持する端末２の近接情報を更新する（ステップＳ４１２）。
【００４５】
端末３は、自端末（端末３）の現在の位置情報を取得し（ステップＳ４１３）、取得した自端末（端末３）の現在の位置情報をグループ設定されている端末２、３に通知する（ステップＳ４１４−１、Ｓ４１４−２）。端末２は端末３の現在の位置情報を通知されると、自端末（端末１）の位置情報を取得し（ステップＳ４１６）、自端末で保持する端末３の近接情報を更新する（ステップＳ４１８）。同様に、端末１は、端末３の現在の位置情報を通知されると、自端末（端末１）の位置情報を取得し（ステップＳ４１５）、自端末で保持する端末３の近接情報を更新する（ステップＳ４１７）。
【００４６】
上述のように、グループ設定されている他の端末２、３の現在の位置情報を受け取った端末１は、受け取った他の端末２、３の現在の位置情報と、自端末（端末１）の現在の位置情報との差分から、グループ設定されている他の端末２、３が自端末（端末１）に近接しているか否かを判定し、近接情報を更新する。
【００４７】
なお、図４では、端末１、２、３が順番に近接情報更新のための位置情報通知（ステップＳ４０２−１／ステップＳ４０２−２、ステップＳ４０８−１／ステップＳ４０８−２、ステップＳ４１４−１／ステップＳ４１４−２）を発する場合を示しているが、各端末の近接情報を更新できさえすればよく、定められた順番で位置情報通知を発する必要も無い。
【００４８】
図５は、動作モード変更操作時のフローチャートの一例（１）である。端末１で動作モードが電波オフモード又は電源オフモードの変更操作がなされると、制御部１００は、データ管理部１３０で管理するグループ設定された端末２、３の近接情報を参照し、自端末（端末１）に近接している端末があるか否かを確認する（ステップＳ５０１）。自端末（端末１）に近接している端末がある場合には、ステップＳ５０３へ遷移し、そうでない場合にはステップＳ５０５へ遷移する。
【００４９】
ステップＳ５０３では、制御部１００は、表示部１７０に近接する端末の動作モードも自端末（端末１）の動作モードに合わせて変更することを促す表示を行う（図６参照）。そして、ステップＳ５０５へ遷移する。
【００５０】
ステップＳ５０５では、制御部１００は、自端末（端末１）の動作モードを電波オフモード（又は電源オフモード）に遷移させる。そして、動作モード変更操作処理を終了する。なお、図５に示すステップＳ５０３とステップＳ５０５の順序を前後させても良い。
【００５１】
図６は、表示部１７０の表示例（１）である。特に、図５に示すステップＳ５０３における表示例を示す。図６に示すように、制御部１００は、表示部１７０に近接する端末の動作モードも自端末（端末１）の動作モードに合わせて変更することを促す表示を行う。
【００５２】
上述のように、本実施の形態に係る通信装置によれば、自端末に対する動作モードの変更が行われた際、グループ設定された他の端末が近くに存在する場合に、自端末の動作モードに合わせて動作モードの変更が必要な他の端末が存在することを自端末のユーザに通知することができる。そのため、ユーザに他の端末の設定変更の漏れがないように注意を促すことができる。これは、通信に利用する電波が周囲に悪影響を及ぼすエリア（例えば、病院や航空機内）でユーザが複数の端末を所持している場合に特に有効である。
【００５３】
図７は、動作モード変更操作時のフローチャートの一例（２）である。端末１で動作モードを電源オフモードに変更する操作（電源ボタンの長押し等）がなされると、制御部１００は、データ管理部１３０で管理するグループ設定された端末２、３の近接情報を参照し、自端末（端末１）に近接している他の端末があるか否かを確認する（ステップＳ７０１）。自端末（端末１）に近接している他の端末がある場合には、ステップＳ７０３へ遷移し、そうでない場合にはステップＳ７０７へ遷移する。
【００５４】
自端末（端末１）に近接している他の端末がある場合には、制御部１００は、近接している他の端末の動作モードを変更するか否かを判定する（ステップＳ７０３）。近接している他の端末の動作モードを変更する場合には、ステップＳ７０５へ遷移し、そうでない場合には、ステップＳ７０７へ遷移する。
【００５５】
近接している他の端末の動作モードを変更する場合には、制御部１００は、動作モードを自端末（端末１）に合わせて変更する通知を対象となる他の端末にデータ通信部１２０を介して送信する。そしてステップＳ７０７へ遷移する。
【００５６】
ステップＳ７０７では、制御部１００は、自端末（端末１）の動作モードを電波オフモードに変更する。そして、動作モード変更操作処理を終了する。
【００５７】
図８は、表示部１７０の表示例（２）である。特に、図７に示すステップＳ７０３における表示例を示す。図８に示すように、制御部１００は、近接する端末の動作モードを、自端末（端末１）の動作モードに合わせて電源オフモードに変更することを促す表示を表示部１７０に行う。なお、動作モード変更の対象となる他の端末は、動作モード変更の通知を受けると、自動的に動作モードを変更しても良い。また、動作モード変更の対象となる他の端末は、動作モードの変更をユーザに促すために、光、メッセージなどを表示部に表示しても良いし、振動や音により動作モードを変更しても良い。
【００５８】
上述のように、本実施の形態に係る通信装置によれば、自端末に対する動作モードの変更が行われた際、グループ設定された他の端末が近くに存在する場合に、自端末の動作モードに合わせて動作モードの変更が必要な他の端末が存在することを自端末のユーザに通知することができる。そのため、ユーザに他の端末の設定変更の漏れがないように注意を促すことができる。
【００５９】
更に、本実施の形態に係る通信装置によれば、自端末に対する動作モードの変更に合わせて近接する他の端末に対して動作モードの設定変更を行うことができる。これは、通信に利用する電波が周囲に悪影響を及ぼすエリア（例えば、病院や航空機内）でユーザが複数の端末を所持している場合に特に有効である。
【００６０】
＜位置情報の交換方法２＞
図４に示すシーケンス図に基づき、グループ設定された端末間で位置情報を交換すると、位置情報の取得回数が多い。そのため、各端末での処理負荷が重くなり、各端末の消費電力も大きくなってしまう。そこで、図４に示すシーケンス図よりも位置情報の取得回数を減らす方法について説明する。図９は、近接情報を更新するためのシーケンス図の一例（２）である。グループ設定された端末１、２、３は、図９に示すステップＳ９０１〜Ｓ９０９−２の動作を定期的に実施する。
【００６１】
端末１は、自端末（端末１）の現在の位置情報を取得し（ステップＳ９０１）、データ管理部１３０で管理する他の端末２、３の近接情報を更新する（ステップＳ９０２）。その後、端末１は、取得した自端末（端末１）の現在の位置情報をグループ設定されている端末２、３に通知する（ステップＳ９０３−１、Ｓ９０３−２）。
【００６２】
端末２は、自端末（端末２）の現在の位置情報を取得し（ステップＳ９０４）、自端末内で管理する他の端末１、３の近接情報を更新する（ステップＳ９０５）。その後、端末２は、取得した自端末（端末２）の現在の位置情報をグループ設定されている端末１、３に通知する（ステップＳ９０６−１、Ｓ９０６−２）。
【００６３】
端末３は、自端末（端末３）の現在の位置情報を取得し（ステップＳ９０７）、自端末内で管理する他の端末１、２の近接情報を更新する（ステップＳ９０８）。その後、端末３は、取得した自端末（端末３）の現在の位置情報をグループ設定されている端末１、２に通知する（ステップＳ９０９−１、Ｓ９０９−２）。
【００６４】
上述のように、各端末が位置情報を図９に示すシーケンス図により取得すれば、図４に示すシーケンス図に比して、各端末は、位置情報の取得回数を減らすことができる。そのため、各端末の消費電力を抑えることができる。なお、近接情報の更新と位置情報の通知は処理順が入れ替わってもよい。
【００６５】
＜位置情報の交換方法３＞
図４に示すシーケンス図に基づき、グループ設定された端末間で位置情報を交換すると、位置情報の取得回数が多い。そのため、各端末での処理負荷が重くなり、各端末の消費電力も大きくなってしまう。そこで、図４に示すシーケンス図よりも位置情報の取得回数を減らす他の方法について説明する。図１０は、近接情報を更新するためのシーケンス図の一例（３）である。グループ設定された端末１、２、３は、図１０に示すステップＳ１００１〜Ｓ１００９の動作を定期的に実施する。
【００６６】
端末１は、自端末（端末１）の現在の位置情報を取得し（ステップＳ１００１）、データ管理部１３０で管理する他の端末２、３の近接情報を更新する（ステップＳ１００２）。その後、端末１は、取得した自端末（端末１）の現在の位置情報と端末３より通知された最新の端末３の位置情報をグループ設定されている端末２、３のうち端末２に通知する（ステップＳ１００３）。
【００６７】
端末２は、自端末（端末２）の現在の位置情報を取得し（ステップＳ１００４）、自端末で管理する他の端末１、３の近接情報を更新する（ステップＳ１００５）。その後、端末２は、取得した自端末（端末２）の現在の位置情報と端末１より通知された最新の端末１の位置情報をグループ設定されている端末１、２のうち端末３に通知する（ステップＳ１００６）。
【００６８】
端末３は、自端末（端末３）の現在の位置情報を取得し（ステップＳ１００７）、自端末で管理する他の端末１、２の近接情報を更新する（ステップＳ１００８）。その後、端末３は、取得した自端末（端末３）の現在の位置情報と端末２より通知された最新の端末２の位置情報をグループ設定されている端末１、２のうち端末１に通知する（ステップＳ１００９）。
【００６９】
上述のように、各端末が位置情報を図１０に示すシーケンス図により取得すれば、図４に示すシーケンス図に比して、各端末は、位置情報の取得回数を減らすことができる。そのため、各端末の消費電力を抑えることができる。さらに、各端末が位置情報を図１０に示すシーケンス図により取得すれば、あらかじめ決められた順番に通知先端末以外の位置情報を通知することができるので、端末間の通信も減らすことができる。各端末の消費電力を抑えることもできる。なお、近接情報の更新と位置情報の通知は処理順が入れ替わってもよい。
【００７０】
［データ管理部１３０の管理データの一例（２）］
ここで、図９及び図１０で示したシーケンスでは、自端末と他端末の位置情報と比較する時点でタイムラグが発生する。そのため、制御部１００は、端末２、３の過去の近接情報が保持されている場合には、メモリ部１５０に保持された同一グループの端末２、３の現在の近接情報だけでなく、これら現在の近接情報と過去の近接情報とを加味し、端末２、３の近接状態を判断しても良い。図１１を参照して、最新の近接情報と過去の近接情報とを用いた場合の近接状態の判断方法を説明する。図１１は、データ管理部１３０の管理データの一例（２）である。
【００７１】
図１１に示すように、データ管理部１３０にはグループ設定された端末２、３の最新の近接情報と過去２回分の近接情報が管理されている。そこで、制御部１００は、このデータ管理部１３０に管理されている端末２、３の最新の近接情報と過去２回分の近接情報とから現在端末２、３が端末１に近接しているか否かを判断する。本図の場合、端末２は最新の近接情報及び過去２回分の近接情報が「○」である。そのため、制御部１００は、端末２は自端末（端末１）に近接していると判断する。一方、端末３は１回前の近接情報が「Ｘ」であり、最新の近接情報と２回前の近接情報が「○」である。そのため、制御部１００は、端末３も自端末（端末１）に近接していると判断する。図１１を参照して説明したように、グループ設定された他の端末が自端末に近接しているか否かの判断を、過去数回分の位置情報の差(近接情報)から判断してもよい。
【００７２】
［データ管理部１３０の管理データの一例（３）］
ここで、データ管理部１３０は、端末情報とその近接情報とを管理しているが、動作モードが電源オフモードである端末に対して通信が発生する場合には、これら端末情報とその近接情報以外に、グループ設定されている他の端末２、３が自端末（端末１）と外部ネットワーク４を介して接続されているか否かを判別する接続情報を保持しておけば良い。この接続情報を利用すると、例えば、自端末（端末１）の動作モード変更直後に、他の端末２の動作モード変更を行った場合に、端末１の変更時だけでなく、端末２の変更時にも不要な注意の表示がなされるといった問題を解消することができる。
【００７３】
図１２は、データ管理部１３０の管理データの一例（３）である。図１２に示すように、データ管理部１３０は、端末情報とその近接情報以外に、他の端末２、３が自端末１と外部ネットワーク４を介して接続状態にあるか否かを判別する接続情報も管理する。端末２の近接情報と接続情報は「○」であり、端末３の近接情報と接続情報は「×」である。そのため、端末１は接続情報を参照し、接続状態にある端末２に限定して位置情報通知を行う。これにより接続断の状態の端末３に対する不要な通信を抑えることができる。
【００７４】
図１３は、動作モード変更操作時のフローチャートの一例（３）である。端末１で動作モードを電源オフモードに変更する操作（電源ボタンの長押し等）がなされると、制御部１００は、データ管理部１３０で管理するグループ設定された端末２、３の近接情報を参照し、自端末（端末１）に近接している他の端末があるか否かを確認する（ステップＳ１３０１）。そして、自端末（端末１）に近接している他の端末がある場合には、ステップＳ１３０３に遷移し、そうでない場合には、ステップＳ１３０５へ遷移する。
【００７５】
制御部１００は、データ管理部で管理する端末２、３の近接情報及び接続情報を参照し、端末１に近接しており、かつ接続状態である端末に対して、自端末（端末１）の動作モード（電源オフモード）に合わせて、その端末の動作モードを変更することを促す表示を表示部１７０に行う（ステップＳ１３０３）。そして、ステップＳ１３０５へ遷移する。
【００７６】
制御部１００は、自端末（端末１）が接続断絶状態（電源オフモード）になる旨の通知を、データ通信部１２０を介して接続状態である他の端末全てに通知する（ステップＳ１３０５）。そして、ステップＳ１３０７へ遷移する。
【００７７】
制御部１００は、自端末の動作モードを電源オフモードに変更する。そして、動作モード変更操作処理を終了する。
【００７８】
このようにすることで、自端末１の電源オフ直後に、接続中の端末２の動作モード変更操作が行われても、端末２の表示部には、接続断絶中の端末１に関する表示はされなくなる。なお、動作モード遷移を行い接続断から復帰する際、グループ設定されている端末に接続復帰を通知し、グループ設定されている端末の接続状態を更新する。これにより一度接続断の状態になった端末との位置情報通知も再開される。なお、複数の端末を同時に電源ＯＮし、接続復帰した場合、復帰の通知がすれ違う場合がある、そのような場合を考慮して、電源ＯＮ時に接続復帰を複数回通知するようにしてもよい。
【００７９】
（実施の形態２）
実施の形態１では複数の端末で通信システムを構成していたが、図１４に示すように、端末６〜８が接続する外部ネットワーク４側にサーバ装置５を置く通信システム構成でも実現できる。端末６〜８及びサーバ装置５は外部ネットワーク４を介して互いに通信可能である。
【００８０】
図１４は、本発明の実施の形態２に係る通信システムの概略構成図である。サーバ装置５は、外部ネットワーク４を介してグループ設定されたすべての端末に位置情報取得要求をブロードキャストし、その位置情報取得要求の応答である位置情報応答に基づいて生成した近接情報を端末６〜８に通知する。
【００８１】
図１５はサーバ装置５で管理するデータの一例である。サーバ装置５ではグループ登録された端末のペアと近接情報を管理している。図１５に示すように、端末６、７で構成されるペア１の近接情報は「×」であり、端末６、８で構成されるペア２の近接情報は「×」であり、端末７、８で構成されるペア３の近接情報は「×」である。
【００８２】
以下、図１５に示すように、サーバ装置５が位置情報取得要求の応答を受け取った結果、端末６、７で構成されるペア１の近接情報は「○」に変化する場合について説明する。図１６は、近接情報を更新するためのシーケンス図の一例（４）である。サーバ装置５、及び端末６、７、８は、図１６に示すステップＳ１６０１−１〜Ｓ１６１０の動作を定期的に実施する。
【００８３】
サーバ装置５は、グループ設定されている全ての端末６、７、８に対し、位置情報取得要求を通知する（ステップＳ１６０１−１、Ｓ１６０１−２、Ｓ１６０１−３）。
【００８４】
端末６は、サーバ装置５から位置情報取得要求を受信すると、自端末の現在の位置情報を取得する（ステップＳ１６０２）。そして、端末６は、サーバ装置５に対して自端末の現在の位置情報を返す（ステップＳ１６０５：位置情報応答）。
【００８５】
同様に、端末７は、サーバ装置５から位置情報取得要求を受信すると、自端末の現在の位置情報を取得する（ステップＳ１６０３）。そして、端末７は、サーバ装置５に対して自端末の現在の位置情報を返す（ステップＳ１６０６：位置情報応答）。
【００８６】
さらに、端末８は、サーバ装置５から位置情報取得要求を受信すると、自端末の現在の位置情報を取得する（ステップＳ１６０４）。そして、端末８は、サーバ装置５に対して自端末の現在の位置情報を返す（ステップＳ１６０７：位置情報応答）。
【００８７】
サーバ装置５は、グループ設定された全ての端末６、７、８から各端末の現在の位置情報を取得すると、これらの情報に基づき、各ペアの端末の近接情報を生成する（ステップＳ１６０８）。
【００８８】
そして、サーバ装置５はこれら生成した近接情報が、前回生成した近接情報と異なる場合には、該当するペアの端末に対して近接情報が変化したことを通知する（ステップＳ１６０９、Ｓ１６１０）。本実施の形態では、端末６、７の近接情報が「×」から「○」に変化したので、サーバ装置５は、端末６、７のそれぞれに変化後の近接情報を通知する。
【００８９】
また、サーバ装置５で、実施の形態１と同様にグループ設定された端末の接続情報を管理してもよい、その場合も各端末に対しては、近接情報に接続情報を包含して通知すればよいため、端末で管理する情報を変えなくとも実現可能である。
【００９０】
図１７にサーバ装置５の構成を示すブロック図を示す。図１７に示すサーバ装置５は、制御部５００と、データ通信部５２０と、データ管理部５３０と、メモリ部５５０とを備える。
【００９１】
制御部５００は、中央演算処理装置（ＣＰＵ）、タイマー、メモリ等で構成され、データ通信部５２０と、データ管理部５３０と、操作部５４０と、メモリ部５５０と、サーバ装置５全体を制御する。
【００９２】
制御部５００は、グループ設定されている全ての端末６、７、８に対し、データ通信部５２０を介して位置情報取得要求を通知する。制御部５００は、グループ設定されている各端末から各端末の現在の位置情報をデータ通信部５２０を介して取得する。各端末の現在の位置情報は、メモリ部５５０に保持される。
【００９３】
制御部５００は、メモリ部５５０に保持されたグループ毎の端末の現在の位置情報を参照し、データ管理部５３０に保持されたグループ毎の端末の近接情報を更新する（図１５参照）。具体的には、制御部５００は、メモリ部５５０に現在保持されている各端末の位置情報の差分から、各端末が同一グループ内の他の端末と近接しているか否かを判定し、データ管理部５３０に管理されている各端末の近接情報を更新する。
【００９４】
制御部５００は、近接情報が更新された端末が含まれるペアを構成する端末に対して、データ通信部５２０を介して、更新後の近接情報を通知する。
【００９５】
図１６を参照すれば、端末６は、ペアを構成する端末７の更新後の近接情報「○」をサーバ装置５から通知され、端末７は、ペアを構成する端末６の更新後の近接情報「○」をサーバ装置５から通知される。そして、各端末は、この近接情報に基づき、自端末の動作モードを変更する場合、端末の近くに位置する他の端末が存在すると、この他の端末の動作モードを自端末の変更後の動作モードに合わせて変更することを促す旨の表示を行う。
【００９６】
図１５を参照すると、ペアを構成する端末６と端末７が互いに近接するので、自端末（端末６）の変更後の動作モードに端末７の動作モードを合わせて変更することを促す旨を端末６の表示部１８７０に表示する。
【００９７】
図１８は端末６の構成を示すブロック図である。なお、図１８では、端末６を例にとって説明するが、他の端末７、８（図１４参照）も同様の構成を有する。図１８に示す端末６は、制御部１８００と、位置検出部１８１０と、データ通信部１８２０と、データ管理部１８３０と、操作部１８４０と、メモリ部１８５０と、電源部１８６０と、表示部１８７０と、ＲＦ部１８８０と、を備える。
【００９８】
なお、図１８では、アンテナやマイク、電池といった一般的な携帯端末の機能を有する構成は省略している。
【００９９】
制御部１８００は、中央演算処理装置（ＣＰＵ）、タイマー、メモリ等で構成される。制御部１８００は、位置検出部１８１０と、データ通信部１８２０と、データ管理部１８３０と、操作部１８４０と、メモリ部１８５０と、電源部１８６０と、表示部１８７０と、ＲＦ部１８８０となど、端末６の全体を制御する。
【０１００】
データ通信部１８２０は、位置情報取得要求をサーバ装置５から受信すると、制御部１８００の制御に基づき、位置検出部１８１０から出力された自端末（端末６）の現在の位置情報を、位置情報応答として、サーバ装置５へ外部ネットワーク４を介して送信する（図１６）。
【０１０１】
制御部１８００は、操作部１８４０の入力操作又はサーバ装置５から通知される動作モード変更指示に基づき、自端末（端末６）の動作モードを変更する。本実施の形態では、電波を外部に出力しない電波オフモード、電源をＯＦＦにする電源オフモード、及び電波を外部に出力して通常の動作をする通常モードの３つの動作モードを想定しているが、動作モードはこれに限らない。
【０１０２】
通常モード又は電波オフモードから電源オフモードに変更する場合には、制御部１８００は、電源部１８６０の電源をオフにする制御を行う。通常モード又は電源オフモードから電波オフモードに変更する場合には、制御部１８００は、電源部１８６０の電源をオンの状態のまま、外部に電波が出力されないようにＲＦ部１８８０を制御する。
【０１０３】
操作部１８４０は、ユーザの入力操作を受け付け、この入力操作に対応する信号を制御部１８００へ出力する。操作部１８４０は、例えば、電源ボタンなどの入力キーやタッチパネルなどの入力インターフェースで構成される。
【０１０４】
表示部１８７０は、制御部１８００の制御に基づき、ユーザの入力操作に応じた出力を表示する。表示部１８７０は、タッチパネル画面、液晶画面などの出力インターフェースで構成される。なお、表示部１８７０は、操作部１８４０と一体となったタッチパネルでも良い。
【０１０５】
位置検出部１８１０は、制御部１８００の指示に基づき、自端末（端末６）の現在の位置情報を取得する。そして、メモリ部１８５０には、自端末（端末６）の現在の位置情報が保持される。なお、メモリ部１８５０には、最新の自端末の位置情報だけでなく、過去に検出した自端末の位置情報も保持していてもよい。
【０１０６】
なお、ＧＰＳ機能により取得する位置情報、無線ＬＡＮ、携帯電話やＰＨＳの基地局の位置情報より取得する位置情報等を用いてもよく、どのような方法で位置情報を取得するかは限定しない。
【０１０７】
データ管理部１８３０は、あらかじめペアとなっている複数の端末の一覧（以下、端末情報という）と、これら端末（端末７又は端末８）が自端末（端末６）の近くにあるか否かを判別するための近接情報とが保持されている。なお、本実施の形態では、一又は複数の端末の端末をあらかじめペアとして設定しているが、手動での登録、近距離無線やメール、ＰＣや記憶デバイス等による登録などでペアとなる端末を設定をすることができる。図１６を参照すれば、例えば、端末６は、ペアを構成する端末７の更新後の近接情報「○」をサーバ装置５から通知され、端末７は、ペアを構成する端末６の更新後の近接情報「○」をサーバ装置５から通知される。そのため、端末６、７は、この近接情報に基づき、自端末の動作モードを変更する場合、自端末の近くに位置する他の端末が存在すると、この他の端末の動作モードを自端末の変更後の動作モードに合わせて変更することを促す旨の表示を行う。
【０１０８】
上述のように、実施の形態２では、サーバ装置５で、グループ設定されている端末の近接情報を管理し、この近接情報が更新され変化する場合に、更新後の近接情報を該当する端末に通知する。このように、近接情報の更新機能を外部ネットワーク４上のサーバ装置５で実現することで、各端末に係る負荷の軽減、消費電力の軽減を実現することができる。
【０１０９】
なお、本実施の形態として、サーバ装置５でペアに分割し、ペアを構成する端末に対して近接情報を管理する例を示したが、各端末に対する位置情報を記録しておき、新たに受信した各端末との差分を比較して近接情報の変化を判断するといった処理やその他類似の方法でも同様の機能が実現可能であり、本実施の形態に示した管理方法に限定するものではない。
【０１１０】
（実施の形態３）
実施の形態３でも、実施の形態２と同様に、複数の端末及びサーバ装置が外部ネットワークを介して互いに通信可能な通信システムが構成されている。
【０１１１】
図１９は、本発明の実施の形態３に係る通信システムの概略構成図である。サーバ装置１５は、予め登録された端末１６，１７，１８，１９に外部ネットワーク４を介して位置情報取得要求をブロードキャストし、その応答である位置情報応答に基づいて近接情報を生成する。なお、本実施形態では、実施の形態１，２と異なり、端末１６，１７，１８，１９は予めグループ設定される必要はない。
【０１１２】
サーバ装置１５は、登録されている端末のペア及びその近接情報を管理する。図２０は、サーバ装置１５が管理する端末のペアと近接情報に係るデータの一例である。本実施形態では、サーバ装置１５に登録された端末によって考えられ得る全てのペア毎に、近接情報が○（近接している）か×（近接していない）で管理されている。図２０に示した例では、サーバ装置１５に端末１６，１７，１８，１９が登録されている。このため、サーバ装置１５は、端末１６，１７で構成されるペアの近接情報「○」、端末１６，１８で構成されるペアの近接情報「○」、端末１６，１９で構成されるペアの近接情報「×」、端末１７，１８で構成されるペアの近接情報「○」、端末１７，１９で構成されるペアの近接情報「×」、端末１８，１９で構成されるペアの近接情報「○」を管理する。
【０１１３】
また、サーバ装置１５は、登録されている各端末の動作モード変更設定を管理する。なお、動作モード変更設定は、「自動」、「手動」及び「無効」のいずれかである。図２１は、サーバ装置１５が管理する端末毎の動作モード変更設定に係るデータの一例である。図２１に示した例では、サーバ装置１５に登録された端末１６，１７の動作モード変更設定は「手動」に設定され、端末１８の動作モード変更設定は「自動」に設定され、端末１９の動作モード変更設定は「無効」に設定されている。
【０１１４】
図２２は、実施の形態３の通信システムの動作を示すシーケンス図の一例である。サーバ装置１５及び端末１６，１７，１８，１９は、図２２に示すステップＳ２２０１−１〜Ｓ２２１０の動作を定期的に実施する。
【０１１５】
サーバ装置１５は、登録されている全ての端末１６，１７，１８，１９に対し、位置情報取得要求を通知する（ステップＳ２２０１−１，Ｓ２２０１−２，Ｓ２２０１−３，Ｓ２２０１−４）。
【０１１６】
端末１６は、サーバ装置１５から位置情報取得要求を受信すると、自端末の現在の位置情報を取得する（ステップＳ２２０２）。そして、端末１６は、自端末の現在の位置情報を含む位置情報応答をサーバ装置１５に送信する（ステップＳ２２０６）。同様に、端末１７は、サーバ装置１５から位置情報取得要求を受信すると、自端末の現在の位置情報を取得する（ステップＳ２２０３）。そして、端末１７は、自端末の現在の位置情報を含む位置情報応答をサーバ装置１５に送信する（ステップＳ２２０７）。
【０１１７】
同様に、端末１８は、サーバ装置１５から位置情報取得要求を受信すると、自端末の現在の位置情報を取得する（ステップＳ２２０４）。そして、端末１８は、自端末の現在の位置情報を含む位置情報応答をサーバ装置１５に送信する（ステップＳ２２０８）。同様に、端末１９は、サーバ装置１５から位置情報取得要求を受信すると、自端末の現在の位置情報を取得する（ステップＳ２２０５）。そして、端末１９は、自端末の現在の位置情報を含む位置情報応答をサーバ装置１５に送信する（ステップＳ２２０９）。
【０１１８】
なお、端末１６，１７，１８，１９は、サーバ装置１５から位置情報取得要求を受信したときに限らず、自発的に自端末の現在の位置情報を取得してサーバ装置１５に送信しても良い。
【０１１９】
サーバ装置１５は、端末１６，１７，１８，１９から位置情報応答を受信すると、位置情報応答に含まれる現在の位置情報に基づいて、各ペアの端末の近接情報を生成する（ステップＳ２２１０）。
【０１２０】
この後、例えば端末１６の動作モードがユーザによって変更されると、端末１６からサーバ装置１５に動作モード変更通知が送られる（ステップＳ２２１１）。サーバ装置１５は、ステップＳ２２１０で生成した近接情報を確認して、動作モード変更通知を送った端末１６に近接する端末を限定し、この限定した各端末の動作モード変更設定を確認する（ステップＳ２２１２）。続いて、サーバ装置１５は、端末１６に近接する端末の内、動作モード変更設定が「無効」ではない端末１７，１８の各々に、端末１６に対して行われた動作モードの変更内容を含む動作モード変更指示を送る（ステップＳ２２１３−１、Ｓ２２１３−２）。
【０１２１】
サーバ装置１５から動作モード変更指示を受け取った端末１７は、自端末に設定された動作モード変更設定が「手動」であるため、ユーザに自端末の動作モードの変更を促す画面を表示部に表示する（ステップＳ２２１４）。図２３は、動作モード変更設定が「手動」に設定された端末が動作モード変更指示を受け取った際にステップＳ２２１４で表示する画面の一例である。
【０１２２】
一方、サーバ装置１５から動作モード変更指示を受け取った端末１８は、自端末に設定された動作モード変更設定が「自動」であるため、当該動作モード変更指示に含まれる変更後の動作モードに遷移する（ステップＳ２２１５）。続いて、端末１８は、動作モードを変更した旨を示す画面を表示部に表示する（ステップＳ２２１６）。図２４は、動作モード変更設定が「自動」に設定された端末が動作モード変更指示を受け取った際にステップＳ２２１６で表示する画面の一例である。
【０１２３】
なお、サーバ装置１５は、動作モード変更設定として「手動」又は「自動」のいずれかの情報を含む動作モード変更指示を各端末に送っても良い。この場合、各端末が動作モード変更設定を記憶しておく必要はない。また、動作モード変更指示に「手動」又は「自動」のいずれかの情報が含まれない場合、サーバ装置１５が管理する動作モード変更設定は「有効」又は「無効」のいずれかであっても良い。すなわち、動作モード変更指示を受け取った端末は、自端末が記憶する動作モード変更設定が「自動」か「手動」かに応じた動作を行う。
【０１２４】
なお、サーバ装置１５は、ステップＳ２２１３−１、Ｓ２２１３−２で動作モード変更指示を端末１７,１８に送った後、一定時間が経過するまでは、仮に端末１７,１８から動作モード変更通知を受け取っても、当該通知を無視する。
【０１２５】
図２５は、サーバ装置１５の構成を示すブロック図である。図２５に示すサーバ装置１５は、制御部１５００と、データ通信部１５２０と、データ管理部１５３０と、メモリ部１５５０とを備える。
【０１２６】
制御部１５００は、中央演算処理装置（ＣＰＵ）、タイマー、メモリ等で構成され、データ通信部１５２０と、データ管理部１５３０と、操作部１５４０と、メモリ部１５５０と、サーバ装置１５全体を制御する。
【０１２７】
制御部１５００は、登録されている全ての端末に対し、データ通信部１５２０を介して位置情報取得要求を通知する。制御部１５００は、データ通信部１５２０を介して、登録されている各端末から位置情報応答を取得する。制御部１５００は、取得した位置情報応答に含まれる各端末の現在の位置情報をメモリ部１５５０に格納する。
【０１２８】
制御部１５００は、メモリ部１５５０に保持された各端末の現在の位置情報を参照し、データ管理部１５３０に保持された端末の各ペアの近接情報を更新する（図２０参照）。具体的には、制御部１５００は、メモリ部１５５０に現在保持されている各端末の位置情報の差分から、ペアを構成する２つの端末が近接しているか否かを判定し、データ管理部１５３０に管理されている各ペアの近接情報を更新する。なお、制御部１５００は、各端末の位置情報の差分がしきい値未満であれば、２つの端末が近接していると判定する。
【０１２９】
また、制御部１５００は、登録されている全ての端末１６，１７，１８，１９から、予め各端末に設定された動作モード変更設定をデータ通信部１５２０を介して取得する。各端末の動作モード変更設定は、データ管理部１５３０に格納される。
【０１３０】
登録された端末のいずれかからサーバ装置１５に動作モード変更通知が送られると、制御部１５００は、データ管理部１５３０が管理する各ペアの近接情報と各端末の動作モード変更設定を参照して、当該動作モード変更通知を送った端末に近接する端末の内、動作モード変更設定が「無効」ではない端末を選択する。さらに、制御部１５００は、選択した端末に、データ通信部５２０を介して動作モード変更指示を送る。
【０１３１】
なお、制御部１５００は、選択した端末に動作モード変更指示を送った後、一定時間が経過するまでは、当該動作モード変更指示を送った端末から動作モード変更通知を受け取っても、その通知を無視する。
【０１３２】
図２６は、端末１６の構成を示すブロック図である。なお、図２６では、端末１６を例にとって説明するが、他の端末１７，１８，１９（図１９参照）も同様の構成を有する。図２６に示す端末１６は、制御部２６００と、位置検出部２６１０と、データ通信部２６２０と、データ管理部２６３０と、操作部２６４０と、メモリ部２６５０と、電源部２６６０と、表示部２６７０と、ＲＦ部２６８０と、を備える。
【０１３３】
なお、図２６では、アンテナやマイク、電池といった一般的な携帯端末の機能を有する構成は省略している。
【０１３４】
制御部２６００は、中央演算処理装置（ＣＰＵ）、タイマー、メモリ等で構成される。制御部２６００は、位置検出部２６１０と、データ通信部２６２０と、データ管理部２６３０と、操作部２６４０と、メモリ部２６５０と、電源部２６６０と、表示部２６７０と、ＲＦ部２６８０となど、端末１６の全体を制御する。
【０１３５】
データ通信部２６２０は、位置情報取得要求をサーバ装置１５から受信すると、制御部２６００の制御に基づき、位置検出部２６１０から出力された自端末（端末１６）の現在の位置情報を、位置情報応答として、サーバ装置１５へ外部ネットワーク４を介して送信する（図２２）。また、データ通信部２６２０は、サーバ装置１５から送られた動作モード変更指示を受信する。
【０１３６】
制御部２６００は、操作部２６４０の入力操作又はサーバ装置１５から通知される動作モード変更指示に基づき、自端末（端末１６）の動作モードを変更する。本実施の形態では、着信音等の音声を出力しないマナーモード（バイブレーションモード）、電波を外部に出力しない電波オフモード、電源をＯＦＦにする電源オフモード、及び電波を外部に出力して通常の動作をする通常モードの４つの動作モードを想定しているが、動作モードはこれに限らない。
【０１３７】
通常モード又は電波オフモードから電源オフモードに変更する場合には、制御部２６００は、電源部２６６０の電源をオフにする制御を行う。通常モード又は電源オフモードから電波オフモードに変更する場合には、制御部２６００は、電源部２６６０の電源をオンの状態のまま、外部に電波が出力されないようにＲＦ部２６８０を制御する。このとき、制御部２６００は、自端末の動作モードを変更する前に、データ通信部２６２０を介して動作モード変更通知をサーバ装置１５に送る。
【０１３８】
操作部２６４０は、ユーザの入力操作を受け付け、この入力操作に対応する信号を制御部２６００へ出力する。操作部２６４０は、例えば、電源ボタンなどの入力キーやタッチパネルなどの入力インターフェースで構成される。
【０１３９】
表示部２６７０は、制御部２６００の制御に基づき、ユーザの入力操作に応じた出力を表示する。表示部２６７０は、タッチパネル画面、液晶画面などの出力インターフェースで構成される。なお、表示部２６７０は、操作部２６４０と一体となったタッチパネルでも良い。
【０１４０】
位置検出部２６１０は、制御部２６００の指示に基づき、自端末（端末１６）の現在の位置情報を取得する。そして、メモリ部２６５０には、自端末（端末１６）の現在の位置情報が保持される。なお、メモリ部２６５０には、最新の自端末の位置情報だけでなく、過去に検出した自端末の位置情報も保持していてもよい。
【０１４１】
なお、ＧＰＳ機能により取得する位置情報、無線ＬＡＮ、携帯電話やＰＨＳの基地局の位置情報より取得する位置情報等を用いてもよく、どのような方法で位置情報を取得するかは限定しない。
【０１４２】
上述のように、実施の形態３では、サーバ装置１５が、登録されている端末のペア及びその近接情報と、登録されている各端末の動作モード変更設定とを管理する。さらに、サーバ装置１５は、登録されている端末のいずれから動作モード変更通知を受け取ると、当該動作モード変更通知を送った端末と近接している端末の内、動作モード変更設定が「無効」ではない端末の各々に動作モード変更指示を送る。動作モード変更指示を受け取った端末は、自端末に設定された動作モード変更設定に応じて、動作モードの変更に係る処理を行う。
【０１４３】
このように、近接する複数の端末のいずれかにおいて動作モードが変更されたとき、近接する他の端末でも、動作モード変更設定に応じて動作モードの変更に係る処理が行われる。したがって、近接する複数の端末の各ユーザが自端末を操作して動作モードを変更する必要がない。例えば、会議に参加する者の端末の全てに対して動作モード変更設定が「自動」に設定されている場合、参加者の誰か一人が動作モードを変更すれば、他の参加者の端末はユーザによる操作が行われなくても動作モードが変更される。なお、マナーモードから通常モードへの変更の場合は上記説明した動作モード変更指示を近接する他の端末に通知しないといったように、動作モード変更指示を通知する場合の動作モードの変更が限定されても良い。
【０１４４】
また、本実施の形態では、サーバ装置１５は、動作モード変更指示を端末に送った後、一定時間が経過するまでは、当該動作モード変更指示を送った端末から動作モード変更通知を受け取っても、その通知を無視する。したがって、複数のユーザが近いタイミングで自端末の動作モードを変更した場合であっても、最も早い動作モードの変更に対してのみ処理されるため、動作モードの混乱などを避けることができる。
【０１４５】
（実施の形態４）
実施の形態４でも、実施の形態３と同様に、複数の端末及びサーバ装置が外部ネットワークを介して互いに通信可能な通信システムが構成されている。
【０１４６】
図２７は、本発明の実施の形態４に係る通信システムの概略構成図である。サーバ装置２５は、予め登録された端末２６，２７，２８，２９に外部ネットワーク４を介して位置情報取得要求をブロードキャストし、その応答である位置情報応答を保存する。なお、本実施形態では、実施の形態１，２と異なり、端末１６，１７，１８，１９は予めグループ設定される必要はない。
【０１４７】
サーバ装置２５は、登録されている端末の各々から得られた位置情報応答が示す位置情報を、端末毎に時系列で管理する。図２８は、サーバ装置２５が管理する位置情報に係るデータの一例である。本実施形態では、サーバ装置２５に登録された端末毎に、得られた位置情報が時系列で管理されている。図２８に示した例では、サーバ装置２５に端末２６，２７，２８，２９が登録され、各端末の最新の位置情報と過去２回分の位置情報とが管理されている。
【０１４８】
また、サーバ装置２５は、登録されている各端末の動作モード変更設定を管理する。なお、動作モード変更設定は、実施の形態３と同様に、「自動」、「手動」及び「無効」のいずれかである。図２９は、サーバ装置２５が管理する端末毎の動作モード変更設定に係るデータの一例である。図２９に示した例では、サーバ装置２５に登録された端末２６，２７の動作モード変更設定は「手動」に設定され、端末２８の動作モード変更設定は「自動」に設定され、端末２９の動作モード変更設定は「無効」に設定されている。
【０１４９】
図３０は、実施の形態４の通信システムの動作を示すシーケンス図の一例である。なお、図３０において、実施の形態３の図２２と共通する処理には同じ参照符号が付されている。サーバ装置２５及び端末２６，２７，２８，２９は、図３０に示すステップＳ２２０１−１〜Ｓ２２０９及びステップＳ２７１０の動作を定期的に実施する。
【０１５０】
サーバ装置２５は、登録されている全ての端末２６，２７，２８，２９に対し、位置情報取得要求を通知する（ステップＳ２２０１−１，Ｓ２２０１−２，Ｓ２２０１−３，Ｓ２２０１−４）。
【０１５１】
端末２６は、サーバ装置２５から位置情報取得要求を受信すると、自端末の現在の位置情報を取得する（ステップＳ２２０２）。そして、端末２６は、自端末の現在の位置情報を含む位置情報応答をサーバ装置２５に送信する（ステップＳ２２０６）。同様に、端末２７は、サーバ装置２５から位置情報取得要求を受信すると、自端末の現在の位置情報を取得する（ステップＳ２２０３）。そして、端末２７は、自端末の現在の位置情報を含む位置情報応答をサーバ装置２５に送信する（ステップＳ２２０７）。
【０１５２】
同様に、端末２８は、サーバ装置２５から位置情報取得要求を受信すると、自端末の現在の位置情報を取得する（ステップＳ２２０４）。そして、端末２８は、自端末の現在の位置情報を含む位置情報応答をサーバ装置２５に送信する（ステップＳ２２０８）。同様に、端末２９は、サーバ装置２５から位置情報取得要求を受信すると、自端末の現在の位置情報を取得する（ステップＳ２２０５）。そして、端末２９は、自端末の現在の位置情報を含む位置情報応答をサーバ装置２５に送信する（ステップＳ２２０９）。
【０１５３】
なお、端末２６，２７，２８，２９は、サーバ装置２５から位置情報取得要求を受信したときに限らず、自発的に自端末の現在の位置情報を取得してサーバ装置２５に送信しても良い。
【０１５４】
サーバ装置２５は、端末２６，２７，２８，２９から位置情報応答を受信すると、位置情報応答に含まれる現在の位置情報を、図２８に示したように端末毎に時系列で保存する（ステップＳ２７１０）。
【０１５５】
この後、例えば端末２６の動作モードがユーザによって変更されると、端末２６からサーバ装置２５に動作モード変更通知が送られる（ステップＳ２２１１）。動作モード変更通知を受け取ったサーバ装置２５は、ステップＳ２７１０で保存した位置情報に基づいて、動作モード変更通知を送った端末２６と他の端末２７，２８，２９の各々との近接情報を生成する（ステップＳ２７１２）。ステップＳ２７１２で生成される近接情報の一例を図３１に示す。
【０１５６】
なお、サーバ装置２５は、近接情報を生成する際、動作モード変更通知を送った端末２６以外の端末２７，２８，２９の各動作モード設定変更を確認し、動作モード変更設定が「無効」ではない端末２７，２８と端末２６との近接情報を生成しても良い。この場合、サーバ装置２５は、動作モード変更設定が「無効」の端末２９と端末２６との近接情報は生成しないため、近接情報を生成する際の演算量を減らすことができる。
【０１５７】
次に、サーバ装置２５は、ステップＳ２７１２で生成した近接情報を確認して、動作モード変更通知を送った端末２６に近接する端末を限定し、この限定した各端末の動作モード変更設定を確認する（ステップＳ２２１２）。続いて、サーバ装置２５は、端末２６に近接する端末の内、動作モード変更設定が「無効」ではない端末２７，２８の各々に、端末２６に対して行われた動作モードの変更内容を含む動作モード変更指示を送る（ステップＳ２２１３−１、Ｓ２２１３−２）。
【０１５８】
サーバ装置２５から動作モード変更指示を受け取った端末２７は、自端末に設定された動作モード変更設定が「手動」であるため、ユーザに自端末の動作モードの変更を促す画面を表示部に表示する（ステップＳ２２１４）。図２３は、動作モード変更設定が「手動」に設定された端末が動作モード変更指示を受け取った際にステップＳ２２１４で表示する画面の一例である。
【０１５９】
一方、サーバ装置２５から動作モード変更指示を受け取った端末２８は、自端末に設定された動作モード変更設定が「自動」であるため、当該動作モード変更指示に含まれる変更後の動作モードに遷移する（ステップＳ２２１５）。続いて、端末２８は、動作モードを変更した旨を示す画面を表示部に表示する（ステップＳ２２１６）。図２４は、動作モード変更設定が「自動」に設定された端末が動作モード変更指示を受け取った際にステップＳ２２１６で表示する画面の一例である。
【０１６０】
なお、サーバ装置２５は、動作モード変更設定として「手動」又は「自動」のいずれかの情報を含む動作モード変更指示を各端末に送っても良い。この場合、各端末が動作モード変更設定を記憶しておく必要はない。また、動作モード変更指示に「手動」又は「自動」のいずれかの情報が含まれない場合、サーバ装置２５が管理する動作モード変更設定は「有効」又は「無効」のいずれかであっても良い。すなわち、動作モード変更指示を受け取った端末は、自端末が記憶する動作モード変更設定が「自動」か「手動」かに応じた動作を行う。
【０１６１】
なお、実施の形態３と同様に、サーバ装置２５は、ステップＳ２２１３−１、Ｓ２２１３−２で動作モード変更指示を端末２７,２８に送った後、一定時間が経過するまでは、仮に端末２７,２８から動作モード変更通知を受け取っても、当該通知を無視する。
【０１６２】
図３２は、サーバ装置２５の構成を示すブロック図である。図３２に示すサーバ装置２５は、制御部２５００と、データ通信部２５２０と、データ管理部２５３０と、メモリ部２５５０とを備える。
【０１６３】
制御部２５００は、中央演算処理装置（ＣＰＵ）、タイマー、メモリ等で構成され、データ通信部２５２０と、データ管理部２５３０と、操作部２５４０と、メモリ部２５５０と、サーバ装置２５全体を制御する。
【０１６４】
制御部２５００は、登録されている全ての端末に対し、データ通信部２５２０を介して位置情報取得要求を通知する。制御部２５００は、データ通信部２５２０を介して、登録されている各端末から位置情報応答を取得する。制御部２５００は、取得した位置情報応答に含まれる各端末の現在の位置情報をメモリ部２５５０に格納する。なお、メモリ部２５５０には、各端末の現在の位置情報が端末毎に時系列で保持される（図２８参照）。
【０１６５】
制御部２５００は、データ通信部２５２０を介して動作モード変更通知を受け取ると、メモリ部２５５０に保持された各端末の位置情報を参照し、最新の位置情報だけでなく過去の位置情報も加味して、動作モード変更通知を送信した端末と他の端末の各々との近接情報を生成する（図３１参照）。具体的な一例としては、制御部２５００は、メモリ部２５５０に現在保持されている各端末の位置情報の差分を時系列毎に算出し、しきい値未満の差分が２回連続したペアを構成する２つの端末が近接していると判定する。制御部２５００が生成した近接情報は、データ管理部２５３０に格納される。
【０１６６】
また、制御部２５００は、登録されている全ての端末２６，２７，２８，２９から、予め各端末に設定された動作モード変更設定をデータ通信部２５２０を介して取得する。各端末の動作モード変更設定は、データ管理部２５３０に格納される。
【０１６７】
制御部２５００は、データ管理部２５３０が管理する近接情報と各端末の動作モード変更設定を参照して、当該動作モード変更通知を送った端末に近接する端末の内、動作モード変更設定が「無効」ではない端末を選択する。さらに、制御部２５００は、選択した端末に、データ通信部５２０を介して動作モード変更指示を送る。
【０１６８】
なお、制御部２５００は、選択した端末に動作モード変更指示を送った後、一定時間が経過するまでは、当該動作モード変更指示を送った端末から動作モード変更通知を受け取っても、その通知を無視する。
【０１６９】
本実施の形態４の端末２６，２７，２８，２９の構成は、実施の形態３で図２６を参照して説明した端末１６の構成と同様である。
【０１７０】
上述のように、実施の形態４では、サーバ装置２５が、登録されている各端末の位置情報を時系列で管理し、かつ、登録されている各端末の動作モード変更設定を管理する。さらに、サーバ装置２５は、登録されている端末のいずれから動作モード変更通知を受け取ると、当該動作モード変更通知を送った端末と他の端末の各々との近接情報を生成する。次に、サーバ装置２５は、動作モード変更通知を送った端末と近接している端末の内、動作モード変更設定が「無効」ではない端末の各々に動作モード変更指示を送る。動作モード変更指示を受け取った端末は、自端末に設定された動作モード変更設定に応じて、動作モードの変更に係る処理を行う。
【０１７１】
このように、本実施の形態では、サーバ装置２５が動作モード変更通知を受け取ったときに近接情報を生成するため、定期的に近接情報を生成する実施の形態３と比べて、近接情報を生成する頻度を減らすことができる。また、サーバ装置２５は、動作モード変更通知を送った端末と他の端末の各々との近接情報に限って生成するため、登録された端末の全てのペア毎の近接情報を生成する実施の形態３と比べて、近接情報を生成する演算量を減らすことができる。この結果、実施の形態３で説明した効果に加え、サーバ装置２５に対する近接情報を生成する際の負荷を軽減できる。
【０１７２】
本発明を詳細にまた特定の実施態様を参照して説明したが、本発明の精神と範囲を逸脱することなく様々な変更や修正を加えることができることは当業者にとって明らかである。
【０１７３】
本出願は、2011年6月30日出願の日本特許出願（特願2011-146165）に基づくものであり、その内容はここに参照として取り込まれる。
【産業上の利用可能性】
【０１７４】
本発明に係る通信装置、通信システム、サーバ装置及び通信方法は、自装置と関連付けられた一又は複数の他の通信装置が近くに存在する場合に、通信装置の動作モード変更に合わせて動作モードを変更する必要がある他の通信装置の存在をユーザに通知することができるという効果を有し、通信装置は携帯端末又はスマートフォン等として有用である。
【符号の説明】
【０１７５】
１〜３、６〜９、１６〜１９、２６〜２９  携帯端末（端末）
４  外部ネットワーク
５、１５、２５  サーバ装置
５００、１５００、２５００  制御部
５２０、１５２０、２５２０  データ通信部
５３０、１５３０、２５３０  データ管理部
５５０、１５５０、２５５０  メモリ部
１００、１８００、２６００  制御部
１１０、１８１０、２６１０  位置検出部
１２０、１８２０、２６２０  データ通信部
１３０、１８３０、２６３０  データ管理部
１４０、１８４０、２６４０  操作部
１５０、１８５０、２６５０  メモリ部
１６０、１８６０、２６６０  電源部
１７０、１８７０、２６７０  表示部
１８０、１８８０、２６８０  ＲＦ部
【図１】
2013001814.tif 000003
【図２】
2013001814.tif 000004
【図３】
2013001814.tif 000005
【図４】
2013001814.tif 000006
【図５】
2013001814.tif 000007
【図６】
2013001814.tif 000008
【図７】
2013001814.tif 000009
【図８】
2013001814.tif 000010
【図９】
2013001814.tif 000011
【図１０】
2013001814.tif 000012
【図１１】
2013001814.tif 000013
【図１２】
2013001814.tif 000014
【図１３】
2013001814.tif 000015
【図１４】
2013001814.tif 000016
【図１５】
2013001814.tif 000017
【図１６】
2013001814.tif 000018
【図１７】
2013001814.tif 000019
【図１８】
2013001814.tif 000020
【図１９】
2013001814.tif 000021
【図２０】
2013001814.tif 000022
【図２１】
2013001814.tif 000023
【図２２】
2013001814.tif 000024
【図２３】
2013001814.tif 000025
【図２４】
2013001814.tif 000026
【図２５】
2013001814.tif 000027
【図２６】
2013001814.tif 000028
【図２７】
2013001814.tif 000029
【図２８】
2013001814.tif 000030
【図２９】
2013001814.tif 000031
【図３０】
2013001814.tif 000032
【図３１】
2013001814.tif 000033
【図３２】
2013001814.tif 000034
【国際調査報告】
2013001814.tif 000035
2013001814.tif 000036
2013001814.tif 000037
2013001814.tif 000038